(57)【特許請求の範囲】
【請求項１】
構造物の近傍に配置される足場本体と、
前記足場本体から前記構造物に向かって進退自在に形成された複数のスライド足場と、
を備えた足場において、
前記スライド足場は、前記足場本体との間に転動手段を介して支持されているとともに当該転動手段の転動によって進退するように形成され、
前記スライド足場が前記足場本体に収納された状態から最大限突出した状態になるときに、当該スライド足場の当該足場本体に対する最大突出距離が、前記転動手段が当該足場本体に対して移動する距離よりも大きくなるようにしたことを特徴とする足場。
【請求項２】
転動手段は、足場本体に対して転動する大径部とスライド足場に対して転動する小径部とを有するローラとして形成したことを特徴とする請求項１に記載の足場。
【請求項３】
スライド足場の進退限界位置を規制するストッパ手段を備えたことを特徴とする請求項１または２に記載の足場。
【請求項４】
スライド足場の足場本体に対する突出位置を固定する位置決め手段を備えたことを特徴とする請求項１〜３のいずれか一つに記載の足場。
【請求項５】
スライド足場突出時における足場本体上面と当該スライド足場上面との段差を低減する段差低減手段を備えたことを特徴とする請求項１〜４のいずれか一つに記載の足場。
【請求項６】
足場本体を昇降させる昇降手段を備えたことを特徴とする請求項１〜５のいずれか一つに記載の足場。
【請求項７】
転動手段の転動面に滑り止め加工を施したことを特徴とする請求項２〜６のいずれか一つに記載の足場。
【発明の詳細な説明】
【０００１】
【発明の属する技術分野】
この発明は、足場に関し、さらに詳しくは、ガスタービン等のような外形形状が複雑な大型構造物に対しても、簡易な構造にて容易かつ迅速にしかも低コストで構築でき、使い勝手の良い足場に関する。
【０００２】
【従来の技術】
たとえばガスタービン等のような外形形状が複雑な大型構造物を最終的に組み立てる時（総合組立時）には、組立作業用の足場を構造物形状に合わせて設置する必要がある。このような組み立て作業用の足場として、いわゆるパイプ式の足場が知られている。このパイプ式の足場は、垂直方向に沿って複数の支持パイプを所定間隔をあけて固定し、当該支持パイプの間に専用のブラケットを介して足場板を取付けることによって構築されていた。
【０００３】
【発明が解決しようとする課題】
しかしながら、ガスタービンは機種により大きさや形状が異なるため、当該機種毎に上記足場を構築し直さなければならず、生産性が悪く手間がかかるとともに高コストとなってしまうという課題があった。
【０００４】
また、組み立て作業がさらに進行し、ガスタービンに付属品を取り付ける時には、当該付属品に対する既設足場の干渉部分を切り取る等の改造処置が必要であり、さらなる手間とコストを要してしまうという課題があった。また、このような改造処置は、通常、パイプの切り張りや変形を伴うものであるから、足場の美観を損ない、当該構造物の購入客等の見学の際にも悪い印象を与えかねないという課題もあった。
【０００５】
一方、板状に形成された足場本体と、この足場本体から構造物方向に突出自在に設けられた多数のスライド足場とからなり、当該構造物形状に合わせて当該スライド足場の突出量を調節することにより、構造物形状が変更となっても足場全体の再構築を不要とできる足場も市販されている。この足場は、いわゆるリフトテーブルに上記スライド式の足場を付加した構造であり、そのスライド構造は、シャフトにより回転自在に軸支されたローラ上にスライド足場を載置するなどして構成されているのが一般的である。
【０００６】
したがって、従来のスライド式の足場は、構成部品も多く構造が複雑であるため高価になるとともに、これをガスタービンのような大型構造物に対して使用する場合には、多くの台数を購入しなければならず、高コストとなってしまうという課題があった。
【０００７】
さらに、ガスタービンのように構造物形状の凹凸が大きいと、スライド足場の突出ストロークが大きいものが要求され、このストロークを大きくすると足場全体の奥行き寸法が大きくなってしまうという課題もあった。
【０００８】
また、この突出ストロークを大きくすると、スライド足場にかかる荷重も大きくなり、これを支えるための支持機構も大型化（上記シャフトやベアリングが大型化）するので、スライド足場上面と足場本体上面との間に大きな段差が生じ易くなり、足場の使い勝手が悪くなってしまうという課題もあった。
【０００９】
この発明は、上記に鑑みてなされたものであって、ガスタービン等のような外形形状が複雑な大型構造物に対しても、簡易な構造にて容易かつ迅速にしかも低コストで構築でき使い勝手の良い足場を提供することを目的とする。
【００１０】
【課題を解決するための手段】
上述の目的を達成するために、この発明の請求項１にかかる足場は、構造物の近傍に配置される足場本体と、前記足場本体から前記構造物に向かって進退自在に形成された複数のスライド足場とを備えた足場において、前記スライド足場は、前記足場本体との間に転動手段を介して支持されているとともに当該転動手段の転動によって進退するように形成され、前記スライド足場が前記足場本体に収納された状態から最大限突出した状態になるときに、当該スライド足場の当該足場本体に対する最大突出距離が、前記転動手段が当該足場本体に対して移動する距離よりも大きくなるようにしたものである。
【００１１】
上記足場は、つぎのように使用される。すなわち、まず足場本体は構造物に対して所定位置に配設される。そして、構造物の外形に沿うように各スライド足場を足場本体から伸展させ、この足場本体とスライド足場とを足場として、作業者は構造物の組立作業を行う。
【００１２】
さらに、組み立て作業が進行し、構造物に付属装置を設置する場合等、スライド足場が当該付属装置と干渉して邪魔になる場合には、該当するスライド足場を足場本体内に所定量収納して突出量を任意に調節することにより、容易かつ迅速にしかも低コストで足場を構築することができる。
【００１３】
また従来のパイプ式足場のように、いわゆるパイプの切り張りや変形を伴う足場の部分改造等が不要となるので、足場の美観を担保でき、当該構造物の購入客等の見学の際にも好印象を与えることができる。
【００１４】
構造物の組立が完了したら、スライド足場を足場本体内に収納し、この足場本体を撤収すればよく、容易かつ迅速な撤収も実現できる。
【００１５】
また、機種の異なる構造物に対して足場を構築する際には、足場本体を上述のように配設した後に、当該構造物の外形に沿うように各スライド足場の突出量を任意に調節するだけでよい。したがって、従来のパイプ式足場のように足場全体を再構築する必要がなく、容易かつ迅速に低コストで足場を構築することができる。
【００１６】
そして、特にこの発明によれば、スライド足場の進退時に、転動手段の足場本体での動作距離を確保できるので、足場本体の奥行き寸法に比べてスライド足場の最大突出距離を大きく確保することができる。したがって、足場本体の奥行き寸法をコンパクトにでき、しかも形状変化の大きな構造物に対しても柔軟に対応できる足場を提供することができる。
【００１７】
また、この発明の請求項２にかかる足場は、転動手段は、足場本体に対して転動する大径部とスライド足場に対して転動する小径部とを有するローラとして形成したものである。
【００１８】
したがって、転動手段を容易に設計製作できるとともに、大径部と小径部の比（ローラ比）を適切に設定することにより、ローラの足場本体に対する転動距離と、スライド足場に対する転動距離とを任意に設定できるので、設計自由度が増し、コンパクトな足場の設計に資することができる。
【００１９】
また、この発明の請求項３にかかる足場は、スライド足場の進退限界位置を規制するストッパ手段を備えたものである。したがって、スライド足場の足場本体からの脱落を防止できる。
【００２０】
また、この発明の請求項４にかかる足場は、スライド足場の足場本体に対する突出位置を固定する位置決め手段を備えたものである。したがって、スライド足場を確実に位置決め固定することにより、作業者の作業中にスライド足場が何らかの理由で不用意に動いてしまうような事態を防止できる。
【００２１】
また、この発明の請求項５にかかる足場は、スライド足場突出時における足場本体上面と当該スライド足場上面との段差を低減する段差低減手段を備えたものである。したがって、作業者がスライド足場と足場本体間を移動する際につまずいたりするのを防止できるとともに、組立部品や工具等をスライド足場と足場本体間にまたがって置くような場合にも安定して置くことができ、作業効率を上げることができる。
【００２２】
また、この発明の請求項６にかかる足場は、足場本体を昇降させる昇降手段を備えたものである。したがって、足場本体の高さ方向の位置決めを必要に応じて容易かつ迅速に行うことができる。
【００２３】
また、この発明の請求項７にかかる足場は、転動手段の転動面に滑り止め加工を施したものである。したがって、転動手段の転動時における滑りを防止でき、スライド足場を安定して進退させることができる。
【００２４】
【発明の実施の形態】
以下、この発明にかかる足場の実施の形態につき図面を参照しつつ詳細に説明する。なお、この実施の形態によりこの発明が限定されるものではない。
【００２５】
図１は、この発明の実施の形態にかかるスライド足場の伸展状態（ａ）と収納状態（ｂ）を示す模式図、図２は、足場を示す分解斜視図、図３は、スライド足場の収納状態を示す側断面図、図４は、スライド足場の伸展状態を示す側断面図である。
【００２６】
また、図５は、図３に示した足場のＡ−Ａ断面を示す断面図、図６は、図３に示した足場のＢ−Ｂ断面を示す断面図、図７は、図３に示した足場のＣ−Ｃ断面を示す断面図、図８は、スライド足場の位置決め固定手段と前縁傾斜部を示す拡大断面図、図９は、足場の使用状態の一例を模式的に示す平面図である。
【００２７】
図１〜図４および図９に示すように、この実施の形態にかかる足場は、足場本体１と、この足場本体１から構造物２０側に各々突出自在に形成された複数のスライド足場２とから構成されている。足場本体１は、スライド足場２を収納可能に形成され、裏面を上部ローラ３の転動面として兼用している天板１ａと、転動可能に形成された上部ローラ３を案内する上部ローラガイド１ｂと、転動可能に形成された下部ローラ４を案内する下部ローラガイド１ｃと、これら各部材を載置固定するベース１ｄとから構成されている。
【００２８】
上部ローラ３と下部ローラ４とは、スライド足場２にかかる荷重を支持するために所定の間隔をあけて配設され、下部ローラ４が上部ローラ３よりも前方となるように配設されている。また、これら足場本体１、スライド足場２、上部ローラ３および下部ローラ４は、所定強度を確保すべく鋼製となっている。
【００２９】
スライド足場２は、図１〜図７に示すように、それぞれ径の異なる角パイプからなる天板部２ａと梁部２ｂとから一体的に構成されている。天板部２ａの下部に固定された梁部２ｂは、天板部２ａよりも幅が狭く形成され、かつ、天板部２ａの後方に突出するように長い寸法で形成されている。そして、この天板部２ａの後方に突出した梁部２ｂ上面において上部ローラ３が転動し、梁部２ｂ下面において下部ローラ４が転動するように形成されている。
【００３０】
上部ローラ３は、図１〜図４および図６に示すように、一対の大径部３ａ，３ａと、この大径部３ａ，３ａの間に同心状に配された小径部３ｂとから一体的に形成されている。また、下部ローラ４は、図１〜図５に示すように、一対の大径部４ａ，４ａと、この大径部４ａ，４ａの間に同心状に配された小径部４ｂとから一体的に形成されている。
【００３１】
すなわち、これら大径部３ａ，４ａは、足場本体１側と当接しながら転動し、小径部３ｂ，４ｂは、スライド足場２の梁部２ｂと当接しながら転動するものであり、これによりスライド足場２が足場本体１に対して進退するようになっている。なお、上部ローラ３と下部ローラ４の転動面には、滑り防止のためのローレット加工が施されており、安定した転動を可能にしている。
【００３２】
また、上部ローラ３における大径部３ａの直径Ｄｂと小径部３ｂの直径Ｄｓの比（ローラ比＝Ｄｓ／Ｄｂ）と、下部ローラ４における大径部４ａの直径Ｄｂと小径部４ｂの直径Ｄｓの比（ローラ比＝Ｄｓ／Ｄｂ）は同一であり、このローラ比を適切に設定することにより、図１に示すように、上部ローラ３および下部ローラ４の足場本体１に対する転動距離Ｓ１と、スライド足場２に対する転動距離Ｓ２とを任意に設定できる。したがって、上部ローラ３と下部ローラ４間の配設距離に転動距離Ｓ１を加えた距離を考慮して設計すれば、足場本体１の奥行き寸法を最小限にしつつ、スライド足場２のスライドストロークＳを大きく確保できる。
【００３３】
また、上記ローラ比と、上部ローラ３と下部ローラ４間の配設距離とを適切に設定することにより、図１に示すように、スライド足場２を足場本体１に収納した際に、下部ローラ４がスライド足場２の重心Ｇ位置よりも前方側（構造物２０側）にはみ出さないように位置させることができる。すなわち、上部ローラ３および下部ローラ４がスライド足場２によって足場本体１側に常時押しつけられることとなり、転動時の滑りが生じにくく、スライド足場２の動作を安定させることができる。
【００３４】
なお、本実施の形態では、足場本体１を最小奥行き寸法にて形成してあるため、図１および図３に示すように、スライド足場２の完全収納時には、スライド足場２の後端部が足場本体１から後方に突出するが、図９に示すように足場を通常使用するときには、スライド足場２が構造物２０側にある程度突出した状態で使用するので、後方に突出することはなく、通常使用時における足場本体１の設置スペースを小さくできる。
【００３５】
また、図４に示すように、下部ローラガイド１ｃの前端部には、スライド足場２が伸展された時に下部ローラ４が前方へ脱落するのを防止するための前部ストッパ５がボルト６にて固定されている。また、図３および図７に示すように、下部ローラガイド１ｃの後端部には、スライド足場２が収納された時に下部ローラ４が後方へ脱落するのを防止するためのローラ落下防止ストッパ９が設けられている。
【００３６】
また、図４に示すように、スライド足場２の梁部２ｂの後部上面に突設されたローラ落下防止ストッパ１３は、上部ローラ３が後方へ脱落するのを防止するためのものである。梁部２ｂの下部には、スライド足場ストッパ１０および突起部１４が突設されている。
【００３７】
スライド足場ストッパ１０は、図４に示すように、スライド足場２の最大伸展時に下部ローラ４を上記前部ストッパ５とともに挟み込むことができるように形成されている。また、突起部１４は、図３に示すように、スライド足場２の収納時に下部ローラ４をローラ落下防止ストッパ９とともに挟み込むことができるように形成されている。
【００３８】
したがって、下部ローラ４の転動時に滑りが生じ、予め設定されている上部ローラ３との基準距離が変化したとしても、スライド足場２の最大伸展時または収納時における上記挟み込み操作により下部ローラ４の位置を矯正し、定位置にリセットし直すことができる。
【００３９】
また、図３および図６に示すように、上部ローラガイド１ｂの後方所定位置（天板１ａの裏面所定位置）には、スライド足場２が収納された時に上部ローラ３がさらに後方へ移動するのを規制するとともに、上部ローラ３を天板部２ａの背面と挟み込むための後部ストッパ７がボルト８にて固定されている。
【００４０】
したがって、上部ローラ３の転動時に滑りが生じ、予め設定されている下部ローラ４との基準距離が変化したとしても、この挟み込み操作により上部ローラ３の位置を矯正し、定位置にリセットし直すことができる。
【００４１】
なお、前部ストッパ５と突起部１４、後部ストッパ７とローラ落下防止ストッパ１３、ローラ落下防止ストッパ９とスライド足場ストッパ１０は、それぞれスライド足場２のスライド時に互いに干渉し合わないように設けられている。
【００４２】
また、図８に示すように、足場本体１の天板１ａの前縁部には、スライド足場２の天板部２ａとの段差を小さくするために前縁傾斜部１２が設けられている。そして、この前縁傾斜部１２には、下方に貫通するねじ穴が設けられ、このねじ穴に六角穴付きの位置決めボルト１１が設けられている。すなわち、この位置決めボルト１１を締結し、スライド足場２を押圧することにより、スライド足場２を任意の突出位置で固定できるように構成されている。
【００４３】
なお、スライド足場２に所定ピッチの穴を形成し、この穴に上記位置決めボルト１１の先端部を挿通もしくはねじ込むことにより、スライド足場２の位置を固定できるように構成してもよい。
【００４４】
以上のように構成された足場の足場本体１は、図９に示すように、ガスタービン等の構造物２０に対して所定位置に配設される。そして、構造物２０の外形に沿うように各スライド足場２を足場本体１から伸展させ、位置決めボルト１１の締結により各スライド足場２の位置を固定してから、構造物２０の組立作業を行う。
【００４５】
さらに、組み立て作業が進行し、構造物２０に付属装置を設置する場合等、スライド足場２が当該付属装置と干渉して邪魔になる場合には、該当するスライド足場２の位置決めボルト１１を緩めて当該スライド足場２を足場本体１内に所定量収納して突出量を任意に調節し、位置決めボルト１１を再度締結して固定することにより、容易かつ迅速、しかも低コストで足場を構築することができる。
【００４６】
また従来のパイプ式足場のように、いわゆるパイプの切り張りや変形を伴う足場の部分改造等が不要となるので、足場の美観を担保でき、当該構造物２０の購入客等の見学の際にも好印象を与えることができる。
【００４７】
構造物２０の組立が完了したら、スライド足場２の位置決めボルト１１を緩めて当該スライド足場２を足場本体１内に収納し、この足場本体１を撤収すればよく、多数のパイプや専用ブラケットの締結解除作業等が不要であり、容易かつ迅速な撤収も実現できる。
【００４８】
また、機種の異なる構造物２０に対して足場を構築する際には、足場本体１を上述のように配設した後に、当該構造物２０の外形に沿うように各スライド足場２の突出量を任意に調節するだけでよい。したがって、従来のパイプ式足場のように足場全体を再構築する必要がなく、容易かつ迅速に低コストで足場を構築することができる。
【００４９】
以上のように、この実施の形態にかかる足場によれば、スライド足場２のスライド機構として、回転シャフト等やベアリングを有したローラ構造を用いることなく、転動式の上部ローラ３および下部ローラ４を採用した簡易な構造としたので、スライド足場２のスライドストロークＳに対して足場本体１の奥行き寸法を小さく構成でき、低コストでコンパクトな足場を構成できる。
【００５０】
また、スライド足場２の円滑なスライド動作を実現でき、足場本体１との段差をきわめて小さくでき、段差をさらに低減する前縁傾斜部１２を設けたので、使い勝手の良い足場が得られる。
【００５１】
さらに、構造物２０の組立時の形状変更や機種の相違に基づく形状変更に対しても、スライド足場２の突出量を加減するのみで対応できるので、容易かつ迅速に低コストで対応できる。また、スライド足場２を足場本体１に容易に収納できるので、足場全体の撤収も容易に行うことができる。
【００５２】
なお、上記実施の形態においては、転動式のローラ３，４にてスライド足場２をスライドさせるものとして説明したが、これに限定されず、たとえば、ローラ３，４に相当するピニオンギヤと、このギヤと噛み合うラックを足場本体１および梁部２ｂの相当箇所に設けて構成してもよく、同様の効果を期待できる。
【００５３】
また、足場本体１の天板１ａには、必要に応じて手すり等を設けることもできる。また、足場本体１を昇降させるために、周知慣用技術にて形成した昇降手段（たとえば、油圧式もしくは電動式のリフト装置やエレベータ装置等）をベース１ｄ等に備えることもできる。
【００５４】
【発明の効果】
以上説明したように、この発明にかかる足場（請求項１）によれば、構造物の近傍に配置される足場本体と、前記足場本体から前記構造物に向かって進退自在に形成された複数のスライド足場とを備えた足場において、前記スライド足場は、前記足場本体との間に転動手段を介して支持されているとともに当該転動手段の転動によって進退するように形成され、前記スライド足場が前記足場本体に収納された状態から最大限突出した状態になるときに、当該スライド足場の当該足場本体に対する最大突出距離が、前記転動手段が当該足場本体に対して移動する距離よりも大きくなるようにしたので、構造物の外形形状に応じて容易かつ迅速、しかも低コストで足場を構築することができるとともに、足場本体の奥行き寸法に比べてスライド足場の最大突出距離を大きく確保することができる。したがって、足場本体の奥行き寸法をコンパクトで、しかも形状変化の大きな構造物に対しても柔軟に対応できる足場を提供することができる。
【００５５】
また、この発明にかかる足場（請求項２）によれば、転動手段は、足場本体に対して転動する大径部とスライド足場に対して転動する小径部とを有するローラとして形成したので、転動手段を容易に設計製作できるとともに、大径部と小径部の比（ローラ比）を適切に設定することにより、ローラの足場本体に対する転動距離と、スライド足場に対する転動距離とを任意に設定できる。したがって、設計自由度が増し、コンパクトな足場の設計に資することができる。
【００５６】
また、この発明にかかる足場（請求項３）によれば、スライド足場の進退限界位置を規制するストッパ手段を備えたので、スライド足場の足場本体からの脱落を防止できる。
【００５７】
また、この発明にかかる足場（請求項４）によれば、スライド足場の足場本体に対する突出位置を固定する位置決め手段を備えたので、スライド足場を確実に位置決め固定することにより、作業者の作業中にスライド足場が何らかの理由で不用意に動いてしまうような事態を防止できる。
【００５８】
また、この発明にかかる足場（請求項５）によれば、スライド足場突出時における足場本体上面と当該スライド足場上面との段差を低減する段差低減手段を備えたので、作業者がスライド足場と足場本体間を移動する際につまずいたりするのを防止できるとともに、組立部品や工具等をスライド足場と足場本体間にまたがって置くような場合にも安定して置くことができ、作業効率を上げることができる。
【００５９】
また、この発明にかかる足場（請求項６）によれば、足場本体を昇降させる昇降手段を備えたので、足場本体の高さ方向の位置決めを必要に応じて容易かつ迅速に行うことができる。
【００６０】
また、この発明にかかる足場（請求項７）によれば、転動手段の転動面に滑り止め加工を施したので、転動手段の転動時における滑りを防止でき、スライド足場を安定して進退させることができる。
【図面の簡単な説明】
【図１】この発明の実施の形態にかかるスライド足場の伸展状態（ａ）と収納状態（ｂ）を示す模式図である。
【図２】足場を示す分解斜視図である。
【図３】スライド足場の収納状態を示す側断面図である。
【図４】スライド足場の伸展状態を示す側断面図である。
【図５】図３に示した足場のＡ−Ａ断面を示す断面図である。
【図６】図３に示した足場のＢ−Ｂ断面を示す断面図である。
【図７】図３に示した足場のＣ−Ｃ断面を示す断面図である。
【図８】スライド足場の位置決め固定手段と前縁傾斜部を示す拡大断面図である。
【図９】足場の使用状態の一例を模式的に示す平面図である。
【符号の説明】
１  足場本体
１ａ  天板
１ｂ  上部ローラガイド
１ｃ  下部ローラガイド
１ｄ  ベース
２  スライド足場
２ａ  天板部
２ｂ  梁部
３  上部ローラ
３ａ  大径部
３ｂ  小径部
４  下部ローラ
４ａ  大径部
４ｂ  小径部
５  前部ストッパ
６  ボルト
７  後部ストッパ
８  ボルト
９  ローラ落下防止ストッパ
１０  スライド足場ストッパ
１１  位置決めボルト
１２  前縁傾斜部
１３  ローラ落下防止ストッパ
１４  突起部
２０  構造物
Ｄｂ  大径部の直径
Ｄｓ  小径部の直径
Ｇ  重心
Ｓ  スライドストローク
Ｓ１  足場本体に対する転動距離
Ｓ２  スライド足場に対する転動距離
【図１】
0003626937.tif 000002
【図２】
0003626937.tif 000003
【図３】
0003626937.tif 000004
【図４】
0003626937.tif 000005
【図５】
0003626937.tif 000006
【図６】
0003626937.tif 000007
【図７】
0003626937.tif 000008
【図８】
0003626937.tif 000009
【図９】
0003626937.tif 000010